(57)【特許請求の範囲】
【請求項１】
物体側より順に正の屈折力の第１群、負の屈折力の第２群、正の屈折力の第３群、負の屈折力の第４群、正の屈折力の第５群、負の屈折力の第６群の６つのレンズ群より構成され、前記各レンズ群の間隔を変化させて変倍を行うズームレンズに於いて、前記第３群は物体側より正レンズ、物体側に凹面を向けたメニスカス状の負レンズ、物体側に強い凸面を向けた正レンズより構成され、前記第５群は物体側より正レンズ、像側に強い凹面を向けた負レンズ、正レンズ、正レンズより構成され、前記第６群は物体側より負レンズ、正レンズ、負レンズより構成され、第ｉ群と第ｉ＋１群の広角端での間隔をＤｉＷ、第ｉ群と第ｉ＋１群の望遠端での間隔をＤｉＴ、第１群の広角端から望遠端への変倍時の移動量をｍ１、第１，第２，第３，第５群の焦点距離を順にｆ１，ｆ２，ｆ３,ｆ５、全系の望遠端の焦点距離をｆＴとしたとき、
Ｄ１Ｗ    ＜    Ｄ１Ｔ
Ｄ２Ｗ    ＞    Ｄ２Ｔ
Ｄ３Ｗ    ＜    Ｄ３Ｔ
Ｄ４Ｗ    ＞    Ｄ４Ｔ
Ｄ５Ｗ    ＞    Ｄ５Ｔ
−０．２３  ＜    ｍ１／ｆＴ    ＜−０．１９
０．４４  ＜      ｆ１／ｆＴ    ＜０．５２
０．１１  ＜  ｜ｆ２｜／ｆＴ    ＜０．１５
０．１６  ＜      ｆ３／ｆＴ    ＜０．２５
０．１２  ＜      ｆ５／ｆＴ    ＜０．１６
なる条件式を満足することを特徴とするズームレンズ。
【請求項２】
無限遠物体から至近物体へのフォーカシングを、前記第４群を物体側へ移動させるとともに、前記第６群を像側に移動させることにより行い、前記第４群は物体側に凹面を向けたメニスカス状の負レンズで構成され、前記第４群の焦点距離をｆ４、無限遠物体にフォーカスしているときの前記第６群の広角端における横倍率、望遠端における横倍率を各々β６Ｗ，β６Ｔとしたとき、
０．２８  ＜  ｜ｆ４｜／ｆＴ  ＜０．４
２．０    ＜    β６Ｗ        ＜２．４
２．６    ＜    β６Ｔ        ＜３
なる条件式を満足することを特徴とする請求項１のズームレンズ。
【請求項３】
無限遠物体から任意の有限距離物体へのフォーカシングのための前記第４群の移動量は、焦点距離によらず略一定であることを特徴とする請求項１のズームレンズ。
【請求項４】
前記第１群は物体側より正レンズ、像側に凹面を向けたメニスカス状の負レンズ、正レンズで構成され、前記第２群は２枚の負レンズと１枚の正レンズで構成され、前記第２群を光軸と略垂直方向に移動させて撮影画像のブレを補正することを特徴とする請求項１のズームレンズ。
【請求項５】
前記第６群の３枚のレンズは各々接合されていることを特徴とする請求項１のズームレンズ。
【発明の詳細な説明】
【０００１】
【発明の属する技術分野】
本発明はズームレンズに関し、所謂リアーフォーカス及びフローティングフォーカスを用いるとともに防振機能を有した一眼レフカメラ等のスティルカメラやビデオカメラ等に好適なズームレンズに関するものである。
【０００２】
【従来の技術】
従来より一眼レフカメラ用の単焦点レンズ、特に広角レンズやマクロレンズでは、近距離撮影での光学性能の劣化を防止する目的でフォーカシングの際に２つのレンズ群を独立に移動させる所謂フローティングフォーカスと呼ばれるフォーカス方式を用いている。
【０００３】
また、従来よりビデオカメラやスティルカメラ等におけるズームレンズのフォーカス方式としては第１群でフォーカシングを行う所謂前玉フォーカス方式が一般的である。この方式は、同一物体距離に対するフォーカスレンズの繰り出し量がズーム位置によらず一定であるため鏡筒構造を簡単にできるという利点があった。しかしながら、高変倍ズームレンズに用いたとき、近距離撮影時の周辺光量を確保するために前玉のレンズ外径を大きくする必要がありレンズ系の小型化の妨げとなったり、望遠ズームレンズ用においては、特に現在一般的となっているオートフォーカスカメラではレンズ重量の重い第１群をフォーカスで駆動するため高トルクのモータを必要としたりＡＦ（オートフォーカス）スピードが遅くなる等の欠点があった。
【０００４】
また、他のフォーカス方式として、リヤーフォーカス方式やインナーフォーカス方式が種々提案されている。
【０００５】
この方式はズームレンズを構成するフォーカスレンズ群を比較的小型軽量に構成することができるため、オートフォーカスカメラに用いると迅速なフォーカシングが可能となる等の利点があり、またレンズ系全体を小型化出来るといった利点がある。
【０００６】
従来より、リアーフォーカス方式のズームレンズが、例えば特開平３−２２５３０７号公報、特開平３−２２５３０８号公報、特開平３−２２５３０９号公報で提案されている。これらは５群構成の望遠ズームレンズにおいてリアーフォーカス、またはフローティングフォーカスを利用している。
【０００７】
また、従来より正、負、正、負、正、負の屈折力の６群構成のズームレンズとして、特開平４−１８６２１２号公報、特開平８−２９６８６号公報等がある。特開平４−１８６２１２号公報は広角域を含む高変倍ズームレンズであり、特開平８−２９６８６号公報はズーム比４倍程度の望遠ズームレンズである。
【０００８】
また、従来より、撮影時の手ぶれ等を補正するために所謂防振機能を有するズームレンズが特開平８−１３６８６３号公報で開示されている。
【０００９】
【発明が解決しようとしている課題】
撮影画像のブレを補正する方法として電気的な方法は、銀塩写真用カメラには適用できないという問題点があった。又、光学系の物体側にプリズム頂点角度が可変なプリズムを配置し、ブレに応じてプリズム頂点角度を変化させ、その補正を行う方式は、光学系の物体側のプリズムを装着する為、特に大口径な光学系に対してはその補正光学系及び駆動装置が大型化してしまう。又、光学性能的にも補正時にプリズム作用による色収差が出てしまう為、高画質の画像を得るのが難しくなってしまうという問題点があった。
【００１０】
又、光学系の一部の移動レンズ群を偏心させることにより画像位置の変位を行い、ブレの補正を行わせる方法は、移動レンズ群を適切に選択、配置することにより、装置を小型にすることができる。
【００１１】
しかしながらこの方法は移動レンズ群が小型軽量、かつ少ない移動量にて大きな像位置の変位作用を偏心収差を補正して画質の劣化を極力防止しつつ行う必要があり、一般にそれらのバランスを十分に満たすのが大変難しいという問題点があった。
【００１２】
一方、インナーフォーカス式はフォーカス用のレンズ群が小型軽量である為、操作性が容易で、しかも高速操作が可能となり、又無限遠物体と至近物体にフォーカスしたときのレンズ系全体の重心位置の変化が少なく、ホールディングしやすい等の利点がある。
【００１３】
この反面、Ｆナンバーの明るいレンズにおいてインナーフォーカス式を採用すると、フォーカスの際の収差変動が大きくなり、このときの収差変動を良好に補正するのが難しく、光学性能を低下させる原因となっている。
【００１４】
本発明は、ズームレンズを全体として所定の屈折力を有する６つのレンズ群より構成し、各レンズ群の屈折力や変倍を行なうための各レンズ群の移動条件等を適切に設定することにより、レンズ枚数を少なくし、レンズ全長の短縮化を図りつつ、全変倍範囲にわたり高い光学性能を有したズームレンズの提供を目的とする。
【００１５】
本発明の更なる目的は、光学系の一部のレンズ群を光軸と垂直な方向に偏心駆動させて撮影画像の変位（ブレ）を補正する際、各レンズ要素を適切に配置することによって、各種の偏心収差を良好に補正し、又十分に少ない偏心駆動量で十分に大きい変位補正（ブレ補正）を実現することによって装置全体の小型化を可能としたズームレンズの提供にある。
【００１６】
本発明の更なる目的は、インナーフォーカス式とフローティング式を採用しつつ、無限遠物体から近距離物体に至る広範囲の物体距離において、フォーカスの際の収差変動を良好に補正したズームレンズの提供にある。
【００１７】
【課題を解決するための手段】
本発明のズームレンズは、物体側より順に正の屈折力の第１群、負の屈折力の第２群、正の屈折力の第３群、負の屈折力の第４群、正の屈折力の第５群、負の屈折力の第６群の６つのレンズ群より構成され、前記各レンズ群の間隔を変化させて変倍を行うズームレンズに於いて、前記第３群は物体側より正レンズ、物体側に凹面を向けたメニスカス状の負レンズ、物体側に強い凸面を向けた正レンズより構成され、前記第５群は物体側より正レンズ、像側に強い凹面を向けた負レンズ、正レンズ、正レンズより構成され、前記第６群は物体側より負レンズ、正レンズ、負レンズより構成され、第ｉ群と第ｉ＋１群の広角端での間隔をＤｉＷ、第ｉ群と第ｉ＋１群の望遠端での間隔をＤｉＴ、第１群の広角端から望遠端への変倍時の移動量をｍ１、第１，第２，第３，第５群の焦点距離を順にｆ１，ｆ２，ｆ３,ｆ５、全系の望遠端の焦点距離をｆＴとしたとき、
Ｄ１Ｗ    ＜    Ｄ１Ｔ
Ｄ２Ｗ    ＞    Ｄ２Ｔ
Ｄ３Ｗ    ＜    Ｄ３Ｔ
Ｄ４Ｗ    ＞    Ｄ４Ｔ
Ｄ５Ｗ    ＞    Ｄ５Ｔ
−０．２３  ＜    ｍ１／ｆＴ    ＜−０．１９
０．４４  ＜      ｆ１／ｆＴ    ＜０．５２
０．１１  ＜  ｜ｆ２｜／ｆＴ    ＜０．１５
０．１６  ＜      ｆ３／ｆＴ    ＜０．２５
０．１２  ＜      ｆ５／ｆＴ    ＜０．１６
なる条件式を満足することを特徴としている。
【００１８】
【発明の実施の形態】
図１は本発明の数値実施例１の広角端のレンズ断面図、図２〜図５は本発明の数値実施例１の広角端無限遠物体、広角端至近物体（４ｍ）、望遠端無限遠物体、望遠端至近物体（４ｍ）のときの収差図である。
【００１９】
図６は本発明の数値実施例２の広角端のレンズ断面図、図７〜図１０は本発明の数値実施例２の広角端無限遠物体、広角端至近物体（４ｍ）、望遠端無限遠物体、望遠端至近物体（４ｍ）のときの収差図である。
【００２０】
図１１は本発明の数値実施例３の広角端のレンズ断面図、図１２〜図１５は本発明の数値実施例３の広角端無限遠物体、広角端至近物体（４ｍ）、望遠端無限遠物体、望遠端至近物体（４ｍ）のときの収差図である。
【００２２】
但し、至近物体４ｍは後述する数値実施例の単位をｍｍで表したときである。
【００２３】
図中、Ｌ１は正の屈折力の第１群、Ｌ２は負の屈折力の第２群、Ｌ３は正の屈折力の第３群、Ｌ４は負の屈折力の第４群、Ｌ５は正の屈折力の第５群、Ｌ６は負の屈折力の第６群、ＳＰは絞りである。矢印は広角端から望遠端への変倍に際して各レンズ群の移動軌跡を示している。
【００２４】
本実施例では広角端から望遠端への変倍に際しては前述の条件式（１）〜（５）を満足するように第１，第３〜第６を移動させている。
【００２５】
即ち第１群と第２群の間隔が増大し、第２群と第３群の間隔が減少し、第３群と第４群の間隔が増大し、第４群と第５群の間隔が減少し、第５群と第６群の間隔が減少するように、所定のレンズ群を移動させている。
【００２６】
本実施形態では、各レンズ群の間隔を条件式（１）〜（５）を満足するように変化させて変倍を行うことで各レンズ群に変倍分担をさせ、広角端から望遠端までバランス良く収差補正を行うとともにコンパクト化を達成している。
【００２７】
数値実施例１〜３では、広角端から望遠端へのズーミングに際し第１群、第３群、第4 群、第５群、第６群が各々物体側へ移動し、第２群は固定である。無限遠物体から至近物体へのフォーカシングは第６群を像側に移動させるとともに第４群を物体側に移動させて行う。同一物体距離へのフォーカシングのための移動は、第４群は一定であり、第６群は焦点距離が長くなるに従って増大する。また手ぶれ等の補正を行う所謂防振を可能としており、第２群を光軸に垂直な方向に移動させることで防振を行っている。
【００２８】
また本実施形態では、第３群を正レンズと物体側に凹面を向けたメニスカス状の負レンズと物体側に強い凸面を向けた正レンズより構成することで良好な収差補正を可能とし、第6 群を物体側より負レンズ、正レンズ、負レンズより構成することでフォーカシングでの収差変動を少なくし、また、数値実施例２〜４では、第6 群を一つの接合レンズユニットとすることで面反射ゴーストを少なくし、鏡筒への組み込みを簡単にしている。さらに条件式（６）〜（１０）を満足するように各レンズ群を構成し、良好なる光学性能を得ている。
【００２９】
次に、条件式（６）〜（１０）の意味について説明する。
【００３０】
条件式（６）は望遠端での全系の焦点距離に対する広角端から望遠端への変倍の際の第１群の移動量を規定するものであり、特に本発明においては、第２群で防振を行うために、第２群の軽量化、コンパクト化が望まれており、これを実現するためのものである。下限値を越えて第１群の移動量が増えると広角端でのレンズ全長を短くするため及び第２群のレンズ外径を小さくするには良い方向であるがこの動きを実現するための鏡筒構造が複雑になってくる。上限値を越えて第１群の移動量が小さくなると広角端でのレンズ全長を短くすることと望遠端での収差補正を両立することが困難となる。
【００３１】
条件式（７）は望遠端での全系の焦点距離に対する第１群の焦点距離の範囲を規定するものであり、上記条件式と同様特に第２群の軽量化、コンパクト化を達成しつつ良好な性能を満足するためのものである。下限値を越えて第１群の正の屈折力が強くなるとレンズ全長の短縮、レンズ外径の小型化には良い方向だが、第１群で発生する収差特に球面収差が大きくなりこれを他のレンズ群で補正することが困難となる。上限値を越えて第１群の正の屈折力が弱くなると収差補正には良い方向だが、コンパクト化に反する。
【００３２】
条件式（８）は望遠端での全系の焦点距離に対する第２群の焦点距離の範囲を規定するものである。一般に、ズームレンズのコンパクト化を図る手段として各レンズ群の屈折力を強くする、特に第２群の屈折力を強くすることが考えられる。ところが、望遠ズームレンズにおいては第２群の屈折力を強くするに従ってレンズ系の屈折力配置としてレトロフォーカスタイプとなりバックフォーカスが必要以上にながくなり従ってレンズ全長が長くなるため第３群以降のレンズ群を極端なテレフォトタイプとすることでバックフォーカスの増大を防ぐ必要が生じる。
【００３３】
そこで本発明ではコンパクト化の方法として前述の方法ではなく多群化によりコンパクト化を達成している。このとき条件式（８）を満足するように第２群の焦点距離を規定している。下限値を越えて第２群の屈折力が強くなると変倍の為の各レンズ群の移動量は少なくできるが、バックフォーカスが長くなり、第２群で発生する諸収差が大きくなり好ましくない。上限値を越えて第２群の屈折力が弱くなると、変倍のための各レンズ群の移動量を大きくする必要がありレンズ系が増大するので好ましくない。
【００３４】
条件式（９）は望遠端での全系の焦点距離に対する第３群の焦点距離の範囲を規定するものである。条件式の範囲外となると広角端から望遠端までバランス良く諸収差を補正することが困難となる。
【００３５】
条件式（１０）は望遠端での全系の焦点距離に対する第５群の焦点距離の範囲を規定するものである。下限値を越えて第５群の屈折力が強くなるとレンズ系のコンパクト化には良い方向だが、第５群で発生する諸収差特に広角端での球面収差が大きくなり好ましくない。上限値を越えて第５群の屈折力が弱くなるとレンズ全長が長くなり好ましくない。
【００３６】
尚、本発明において更に全変倍範囲にわたり収差変動が少なく、画面全体にわたり高い光学性能を得るには、次の諸条件のうちの少なくとも１つを満足させるのが良い。
【００３７】
(ア-1) 無限遠物体から至近物体へのフォーカシングを第4 群を物体側へ移動し、第6 群を像側に移動して行い、第4 群を物体側に凹面を向けたメニスカス状の負レンズで構成し、第4 群の焦点距離をｆ４、無限遠物体での第6 群の広角端と、望遠端の横倍率を各々β６Ｗ，β６Ｔとしたとき、
０．２８  ＜  ｜ｆ４｜／ｆＴ  ＜０．４・・・（１１）
２．０    ＜    β６Ｗ        ＜２．４・・・（１２）
２．６    ＜    β６Ｔ        ＜３    ・・・（１３）
なる条件式を満足することである。
【００３８】
条件式（１１）は望遠端での全系の焦点距離に対する第４群の焦点距離の範囲を規定するものである。下限値を越えて第４群の屈折力が強くなるとこれに伴って第６群の屈折力を強くする必要が生じ特に軸外収差が多く発生し、上限値を越えて第４群の屈折力が弱くなるとこの群で補正しているズーミングによる球面収差の変動をとるのが困難となる。
【００３９】
条件式（１２）、（１３）は各々、無限遠物体での第６群の広角端の倍率、第６群の望遠端の倍率であり、第６群でのフォーカシングを良好に行うためのものである。第６群でのフォーカシングの条件として、第６群の敏感度（第６群の移動量にたいする像面の移動量）を適切にする必要がある。
本実施例において第６群の敏感度Ｓ６は
Ｓ６＝（１−β６2）
で表される。敏感度Ｓ６の絶対値が極端に大きくなったり、極端に小さくなったりするのは好ましくなく、変倍の途中で敏感度Ｓ６がゼロになるとこのレンズ群でフォーカシングを行うかとができなくなる。条件式（１２）の下限値を越えて横倍率β６Ｗが小さくなると、広角端での第６群の敏感度が小さくなり、上限値を越えて横倍率β６Ｗが大きくなると、広角端での第６群の敏感度が大きくなる。条件式（１３）の下限値を越えて横倍率β６Ｔが小さくなると、望遠端での第６群の敏感度が小さくなり、上限値を越えて横倍率β６Ｔが大きくなると、望遠端での第６群の敏感度が大きくなる。従って、上記条件式を満足するように屈折力配置を適切にする必要がある。
【００４０】
また、第４群を物体側に凹面を持つメニスカス状の負レンズとすることで、変倍による球面収差の変動をおさえることを可能としている。
【００４１】
(ア-2) 無限遠物体から任意の有限距離物体への前記第４群のフォーカシングのための移動量は、焦点距離によらず略一定となるようにしたことである。
【００４２】
本発明では、前記第4 群をフォーカシング時に収差補正のために移動させる所謂フローティングを行っている。ここで、フローティングについて説明する。本発明において主フォーカス群は第６群であり、第４群はフォーカシングによる収差変動、特に広角側での像面の変動を補正する働きをしている。従って第４群の繰り出し量は比較的意図的に変えることが可能であり、本発明では、同一物体距離にたいする第４群の繰り出し量が焦点距離によらず略一定になるようにしている。これにより、第４群のフォーカスの移動を従来の前玉フォーカスと同様に簡単な鏡筒構造で実現できる。
【００４３】
(ア-3) 前記第１群は物体側より正レンズと像側に凹面を向けたメニスカス状の負レンズ、正レンズで構成し、前記第２群は２枚の負レンズと１枚の正レンズで構成し、前記第2 群を光軸と略垂直方向に移動して撮影画像のブレを補正を行なったことである。
【００４４】
これにより、高い光学性能を有しつつレンズ系全体の小型化を図っている。
【００４５】
(ア-4) 前記第6 群の3 枚のレンズは各々接合されていることである。
【００４６】
(ア-5) フォーカシングによる特にテレ側の球面収差の変動、ワイド側の像面湾曲の変動を良好に補正するとともにコンパクト化を達成するために本実施例では第５群を物体側より正レンズ、像側に強い凹面を向けた負レンズ、正レンズ、正レンズで構成している。
【００４７】
次に本発明の数値実施例を示す。数値実施例においてｒｉは物体側より順に第ｉ番目のレンズ面の曲率半径、ｄｉは物体側より第ｉ番目のレンズ厚及び空気間隔、ｎｉとｖｉは各々物体側より順に第ｉ番目のレンズのガラスの屈折率とアッベ数である。
【００４８】
又、前述の各条件式と数値実施例における諸数値との関係を表−１に示す。又、フォーカスレンズ群（第４群と第６群）の移動量を表−２に示す。
【００４９】
数値実施例 1
f= 103.0〜 389.3 FNo=1: 4.6 〜 5.8 2ω=23.7 °〜 6.4°
r 1=   123.671        d 1=   5.10    n 1=1.55963  v 1=61.2
r 2=   455.856        d 2=   0.15
r 3=   112.146        d 3=   3.50    n 2=1.74950  v 2=35.0
r 4=    66.664        d 4=   0.27
r 5=    66.084        d 5=  10.70    n 3=1.43387  v 3=95.1
r 6=-45472.240        d 6=可変
r 7=     ∞           d 7=可変
r 8=  2400.354        d 8=   1.40    n 4=1.69680  v 4=55.5
r 9=    63.095        d 9=   3.30
r10=   -62.783        d10=   1.40    n 5=1.62299  v 5=58.2
r11=    70.270        d11=   2.70    n 6=1.84666  v 6=23.8
r12=  1061.104        d12=可変
r13=  -177.051        d13=   4.80    n 7=1.43875  v 7=95.0
r14=   -35.917        d14=   1.20
r15=   -39.113        d15=   2.00    n 8=1.69680  v 8=55.5
r16=   -68.642        d16=   0.20
r17=    60.698        d17=   3.00    n 9=1.62299  v 9=58.2
r18=   477.360        d18=   2.50
r19=    (絞り)        d19= 可変
r20=   -40.615        d20=   2.90    n10=1.60311  v10=60.6
r21=   -77.406        d21=可変
r22=   790.908        d22=   3.30    n11=1.48749  v11=70.2
r23=   -59.012        d23=   0.15
r24=   305.494        d24=   1.50    n12=1.80518  v12=25.4
r25=    46.466        d25=   1.30
r26=    83.041        d26=   3.30    n13=1.48749  v13=70.2
r27=  -146.852        d27=   0.15
r28=    41.620        d28=   4.00    n14=1.66672  v14=48.3
r29=  2851.209        d29=可変
r30=   381.304        d30=   1.45    n15=1.80610  v15=40.9
r31=    36.649        d31=   0.33
r32=    36.066        d32=   4.30    n16=1.72825  v16=28.5
r33=  -220.633        d33=   1.45    n17=1.77250  v17=49.6
r34=    48.298
焦点距離102.99 164.43 389.28
可変間隔
d  6      7.03  40.76  91.36
d  7      2.00   2.00   2.00
d 12     22.21  15.73   6.42
d 19     11.72  16.09  22.24
d 21     26.74  18.89   7.51
d 29     23.08  19.08   1.73
skinf     73.85  87.81 119.69
f  FNo   2w   w
103.0  4.6  23.7 11.9
164.4  5.2  15.0  7.5
389.3  5.8   6.4  3.2
数値実施例 2
f= 102.7〜 389.2 FNo=1: 4.6 〜 5.8 2ω=23.8 °〜 6.4°
r 1=   117.449        d 1=   5.20    n 1=1.48749  v 1=70.2
r 2=   506.654        d 2=   0.15
r 3=   108.121        d 3=   3.50    n 2=1.74950  v 2=35.0
r 4=    67.497        d 4=   0.12
r 5=    68.071        d 5=  10.40    n 3=1.43387  v 3=95.1
r 6= -7912.525        d 6=可変
r 7=     ∞           d 7=可変
r 8=  -371.134        d 8=   1.40    n 4=1.71300  v 4=53.9
r 9=    58.940        d 9=   3.50
r10=   -57.436        d10=   1.40    n 5=1.62299  v 5=58.2
r11=    64.689        d11=   2.60    n 6=1.84666  v 6=23.8
r12=-28288.289        d12=可変
r13=   225.869        d13=   5.90    n 7=1.43875  v 7=95.0
r14=   -36.078        d14=   1.10
r15=   -37.529        d15=   2.00    n 8=1.70154  v 8=41.2
r16=   -56.400        d16=   0.20
r17=    52.957        d17=   2.40    n 9=1.62012  v 9=49.5
r18=   110.626        d18=   3.00
r19=    (絞り)        d19= 可変
r20=   -41.960        d20=   2.90    n10=1.60311  v10=60.6
r21=   -88.566        d21=可変
r22=  1463.246        d22=   3.50    n11=1.48749  v11=70.2
r23=   -55.561        d23=   0.15
r24=   309.587        d24=   1.60    n12=1.80518  v12=25.4
r25=    46.432        d25=   1.30
r26=    83.246        d26=   3.20    n13=1.51633  v13=64.1
r27=  -163.106        d27=   0.15
r28=    41.344        d28=   4.00    n14=1.66672  v14=48.3
r29=   598.945        d29=可変
r30=   431.689        d30=   1.40    n15=1.83481  v15=42.7
r31=    36.686        d31=   3.90    n16=1.72825  v16=28.5
r32=  -272.789        d32=   1.40    n17=1.77250  v17=49.6
r33=    53.286
焦点距離102.68 161.53 389.19
可変間隔
d  6      7.74  41.09  91.13
d  7      2.00   2.00   2.00
d 12     20.89  15.49   6.44
d 19     11.91  14.86  20.25
d 21     26.80  19.97  10.38
d 29     22.57  18.94   1.94
skinf     74.01  86.92 117.18
f   FNo   2w   w
102.7  4.6  23.8 11.9
161.5  5.1  15.3  7.6
389.2  5.8   6.4  3.2
数値実施例 3
f= 102.9〜 389.2 FNo=1: 4.6 〜 5.8 2ω=23.7 °〜 6.4°
r 1=   112.875        d 1=   5.60    n 1=1.48749  v 1=70.2
r 2=   666.390        d 2=   0.15
r 3=   107.690        d 3=   3.50    n 2=1.74950  v 2=35.0
r 4=    66.588        d 4=   0.12
r 5=    67.147        d 5=  10.00    n 3=1.43387  v 3=95.1
r 6=  1910.719        d 6=可変
r 7=     ∞           d 7=可変
r 8=  -570.514        d 8=   1.40    n 4=1.71300  v 4=53.9
r 9=    56.723        d 9=   3.63
r10=   -54.676        d10=   1.40    n 5=1.62299  v 5=58.2
r11=    69.446        d11=   2.60    n 6=1.84666  v 6=23.8
r12=  -998.563        d12=可変
r13=   190.902        d13=   6.40    n 7=1.43875  v 7=95.0
r14=   -35.709        d14=   1.10
r15=   -36.408        d15=   2.00    n 8=1.64769  v 8=33.8
r16=   -57.661        d16=   0.20
r17=    52.613        d17=   2.60    n 9=1.59551  v 9=39.2
r18=   105.172        d18=   3.50
r19=    (絞り)        d19= 可変
r20=   -45.038        d20=   2.90    n10=1.60311  v10=60.6
r21=   -97.329        d21=可変
r22=  -520.130        d22=   3.50    n11=1.48749  v11=70.2
r23=   -56.696        d23=   0.15
r24=   147.567        d24=   1.60    n12=1.80518  v12=25.4
r25=    44.814        d25=   1.12
r26=    79.107        d26=   3.20    n13=1.51633  v13=64.1
r27=  -300.545        d27=   0.15
r28=    41.007        d28=   4.00    n14=1.63854  v14=55.4
r29=  1408.886        d29=可変
r30=   400.379        d30=   1.40    n15=1.83481  v15=42.7
r31=    36.824        d31=   4.20    n16=1.72825  v16=28.5
r32=  -273.139        d32=   1.40    n17=1.77250  v17=49.6
r33=    51.619
焦点距離102.90 205.68 389.18
可変間隔
d  6      5.02  51.00  88.15
d  7      2.00   2.00   2.00
d 12     22.31  13.57   8.14
d 19     11.51  16.32  18.57
d 21     27.22  15.13  11.50
d 29     22.62  16.31   1.55
skinf     73.86  96.20 117.77
f   FNo   2w   w
102.9  4.6  23.7 11.9
205.7  5.5  12.0  6.0
389.2  5.8   6.4  3.2
【００５０】
【表１】
0004227223.tif 000002
【００５１】
【発明の効果】
本発明によれば、
(イ-1) ズームレンズを全体として所定の屈折力を有する６つのレンズ群より構成し、各レンズ群の屈折力や変倍を行なうための各レンズ群の移動条件等を適切に設定することにより、レンズ枚数を少なくし、レンズ全長の短縮化を図りつつ、全変倍範囲にわたり高い光学性能を有したズームレンズを達成することができる。
【００５２】
(イ-2) 光学系の一部のレンズ群を光軸と垂直な方向に偏心駆動させて撮影画像の変位（ブレ）を補正する際、各レンズ要素を適切に配置することによって、各種の偏心収差を良好に補正し、又十分に少ない偏心駆動量で十分に大きい変位補正（ブレ補正）を実現することによって装置全体の小型化を可能としたズームレンズを達成することができる。
【００５３】
(イ-3) インナーフォーカス式とフローティング式を採用しつつ、無限遠物体から近距離物体に至る広範囲の物体距離において、フォーカスの際の収差変動を良好に補正したズームレンズを達成することができる。
【００５４】
(イ-4) ６つのレンズ群よりズームレンズを構成しフォーカシングは第６群と第４群を用いることで迅速な焦点合わせが可能で無限遠物体から至近物体まで良好な光学性能のズーム比４倍程度の望遠ズームレンズを達成することができる。
【図面の簡単な説明】
【図１】  本発明の数値実施例１の広角端のレンズ断面図
【図２】  本発明の数値実施例１の広角端無限遠物体の収差図
【図３】  本発明の数値実施例１の広角端至近物体（４ｍ）の収差図
【図４】  本発明の数値実施例１の望遠端無限遠物体の収差図
【図５】  本発明の数値実施例１の望遠端至近物体（４ｍ）の収差図
【図６】  本発明の数値実施例２の広角端のレンズ断面図
【図７】  本発明の数値実施例２の広角端無限遠物体の収差図
【図８】  本発明の数値実施例２の広角端至近物体（４ｍ）の収差図
【図９】  本発明の数値実施例２の望遠端無限遠物体の収差図
【図１０】  本発明の数値実施例２の望遠端至近物体（４ｍ）の収差図
【図１１】  本発明の数値実施例３の広角端のレンズ断面図
【図１２】  本発明の数値実施例３の広角端無限遠物体の収差図
【図１３】  本発明の数値実施例３の広角端至近物体（４ｍ）の収差図
【図１４】  本発明の数値実施例３の望遠端無限遠物体の収差図
【図１５】  本発明の数値実施例３の望遠端至近物体（４ｍ）の収差図
【符号の説明】
Ｌ１    第１群
Ｌ２    第２群
Ｌ３    第３群
Ｌ４    第４群
Ｌ５    第５群
Ｌ６    第６群
ＳＰ    絞り
ΔＳ    サジタル像面
ΔＭ    メリディオナル像面
ｄ    ｄ線
ｇ    ｇ線
Ｓ．Ｃ  正弦条件
【図１】
0004227223.tif 000003
【図２】
0004227223.tif 000004
【図３】
0004227223.tif 000005
【図４】
0004227223.tif 000006
【図５】
0004227223.tif 000007
【図６】
0004227223.tif 000008
【図７】
0004227223.tif 000009
【図８】
0004227223.tif 000010
【図９】
0004227223.tif 000011
【図１０】
0004227223.tif 000012
【図１１】
0004227223.tif 000013
【図１２】
0004227223.tif 000014
【図１３】
0004227223.tif 000015
【図１４】
0004227223.tif 000016
【図１５】
0004227223.tif 000017